(57)【要約】      （修正有）【課題】構造が単純で軽量であり、自由勾配側溝への取付けを容易に行うことができ、且つ自由勾配側溝を左右方向、前後方向の何れの方向にも傾かないように吊り上げることのできる自由勾配側溝用吊具の提供。【解決手段】自由勾配側溝１の開口部２の左右方向寸法Ｘ１よりも長い支持棒３と、支持棒から上方に突出して設けた左右の吊部４，４と、支持棒の左右両端部に支持棒から前後方向に張り出して設けた張り出し部５，５とを備え、左右の吊部は、ワイヤーの係止部６を有し、左右の吊部の支持棒先端側の側縁間の間隔を自由勾配側溝開口部の左右方向寸法と略同じにしてあり、張り出し部は、自由勾配側溝の前後の側壁部８，８の内面壁８ａ，８ｂの間隔Ｙ１と略同じか若干短い長さとしてあり、且つ支持棒から前側と後側に張り出す長さを同じにしてある。【選択図】図１
2007069998.tif 000002
【特許請求の範囲】
【請求項１】
自由勾配側溝（１）の開口部（２）の左右方向寸法（Ｘ１）よりも長い支持棒（３）と、支持棒から上方に突出して設けた左右の吊部（４，４）と、支持棒の左右両端部に支持棒から前後方向に張り出して設けた張り出し部（５，５）とを備え、左右の吊部は、ワイヤーの係止部（６）を有し、左右の吊部の支持棒先端側の側縁間の間隔を自由勾配側溝開口部の左右方向寸法と略同じにしてあり、張り出し部は、自由勾配側溝の前後の側壁部（８，８）の内面壁（８ａ，８ｂ）の間隔（Ｙ１）と略同じか若干短い長さとしてあり、且つ支持棒から前側と後側に張り出す長さを同じにしてあることを特徴とする自由勾配側溝用吊具。
【請求項２】
自由勾配側溝（１）の開口部（２）の左右方向寸法（Ｘ１）よりも長い支持棒（３）と、支持棒から上方に突出して設けた左右の吊部（４，４）と、支持棒の左右両端部に支持棒から前後方向に張り出して設けた張り出し部（５，５）とを備え、左右の吊部は、ワイヤーの係止部（６）を有し、左右の吊部の支持棒先端側の側縁間の間隔を自由勾配側溝開口部の左右方向寸法と略同じにしてあり、張り出し部は、自由勾配側溝の前後の側壁部（８，８）の内面壁（８ａ，８ｂ）の間隔（Ｙ１）と略同じ長さとしてあり、且つ支持棒から前側と後側に張り出す長さを同じにしてあり、左右の吊部（４，４）を自由勾配側溝の開口部の左右端縁（７，７）間に配置して吊具を左右方向に位置決めすると共に、左右の張り出し部（５，５）を自由勾配側溝の前後の側壁部の内面壁（８ａ，８ｂ）間に配置して吊具を前後方向に位置決めすることを特徴とする自由勾配側溝用吊具。
【請求項３】
自由勾配側溝（１）の開口部（２）の左右方向寸法（Ｘ１）よりも長い支持棒（３）と、支持棒から上方に突出して設けた左右の吊部（４，４）と、支持棒の左右両端部に支持棒から前後方向に張り出して設けた張り出し部（５，５）とを備え、左右の吊部は、ワイヤーの係止部（６）を有し、左右の吊部の支持棒先端側の側縁間の間隔を自由勾配側溝開口部の左右方向寸法と略同じにしてあり、張り出し部は、自由勾配側溝の前後の側壁部（８，８）の内面壁（８ａ，８ｂ）の間隔（Ｙ１）よりも若干短い長さとしてあり、且つ支持棒から前側と後側に張り出す長さを同じにしてあり、左右の吊部（４，４）を自由勾配側溝の開口部の左右端縁（７，７）間に配置して吊具を左右方向に位置決めすると共に、支持棒を長手方向の中央部で垂直軸回りに回転させ、左右の張り出し部における互いに反対側の先端部（５ａ，５ｂ）を自由勾配側溝の前側の側壁部の内面壁（８ａ）と後側の側壁部の内面壁（８ｂ）とにそれぞれ別々に当接して吊具を前後方向に位置決めすることを特徴とする自由勾配側溝用吊具。
【請求項４】
支持棒（３）は、長手方向の中央部で山折り可能としてあることを特徴とする請求項１，２又は３記載の自由勾配側溝用吊具。
【請求項５】
張り出し部（５）は、前後方向の長さの異なる複数の張り出し部のうちの一つを、支持棒（３）の端部に交換可能に取付けていることを特徴とする請求項１，２，３又は４記載の自由勾配側溝用吊具。
【請求項６】
吊部（４）は、支持棒（３）に固定した基部（９）と、基部に前後方向の軸（１０）により取付けた可動部（１１）とを有し、基部にはワイヤーの係止部（６）が設けてあり、可動部は、支持棒先端側の端部に自由勾配側溝の開口部の左右端縁への当接部（１２）が設けてあると共に、支持棒中央側の端部が基部のワイヤー係止部に係止するワイヤー（１３）の上に係止するものであり、ワイヤーが上方に引っ張られたときに、可動部（１１）がワイヤーにより支持棒先端側に向けて移動し、当接部（１２）が自由勾配側溝の開口部の左右端縁（７）に押し付けられることを特徴とする請求項１，２，３，４又は５記載の自由勾配側溝用吊具。
【請求項７】
前記当接部（１２）は、上下方向の軸（１３）回りに回転するローラーで構成してあることを特徴とする請求項６記載の自由勾配側溝用吊具。
【発明の詳細な説明】
【技術分野】
【０００１】
本発明は、一対の側壁部と天板部とで断面門形に形成されるとともに天板部に四角い開口部が形成された側溝ブロック（以後、自由勾配側溝という）を施工する際に、自由勾配側溝をクレーンで吊るために用いられる自由勾配側溝用吊具に関する。
【背景技術】
【０００２】
近年、側溝ブロックとして、一対の側壁部と天板部とで断面門形に形成されるとともに、天板部にグレーチングを載置するための四角い開口部が形成された自由勾配側溝が多く用いられている。この自由勾配側溝をクレーンで吊り上げる際には、吊具を自由勾配側溝の開口部に引っ掛けるようにして取付けている。
従来の自由勾配側溝用吊具としては、まず特許文献１に開示されたものがある。この吊具は、図１２に示すように、中空パイプ構造の吊具本体９１と、吊具本体の長手方向に相互に離間して設けた二つの吊上部９２と、吊具本体の両側に設けた支持部９３とを有すると共に、吊具本体と支持部との間に伸縮アーム部９４を設けたものとなっており、自由勾配側溝９５に取り付ける際には、図１２（ａ）に示すように、伸縮アーム部により吊具の長さを自由勾配側溝開口部９６の左右方向（側溝ブロック長手方向）寸法より短くした状態で開口部９６に上方から挿入し、その後、図１２（ｂ）に示すように、左右の支持部９３を外側に伸ばし、支持部９３を開口部９６両側の天板部裏側に係止するようにしている。
【０００３】
上記特許文献１記載の自由勾配側溝用吊具には、以下に述べるような不都合がある。まず、吊具を開口部より自由勾配側溝内部に配置した状態で両側の支持部を外側に伸ばすには、自由勾配側溝の開口部や側方から手を入れて行わねばならず、その作業がとても煩雑であり、吊具の取り付けに時間がかかる。また、吊具を自由勾配側溝に取付ける際に、図１３（ａ）に示すように、吊具９０が自由勾配側溝９５の中心に対して左右方向、前後方向にずれた状態で取付けられることがあり、そうすると図１３（ｂ），（ｃ）に示すように、吊り上げたときに自由勾配側溝９５が左右方向、前後方向に傾くため、自由勾配側溝を安定して吊り上げて運び、正確な位置に下ろす作業が困難になる。傾きがひどいときには、自由勾配側溝が吊具から滑り、落下するおそれもある。
【０００４】
特許文献２には、別のタイプの自由勾配用吊具が開示されている。この吊具は、棒の両端に、下部側に自由勾配側溝の開口部端縁に係止する係止部を有するアームが回転自在に軸着してあり、吊具をワイヤーで吊り上げることでアームが回転し、アームの係止部が外向きに広がって開口部左右端縁に内側から係止する。これによれば、特許文献１記載のもののように、吊具を自由勾配側溝に取付ける作業の煩雑さがなく、且つ吊具の中心が自由勾配側溝の左右方向の中心と一致するので、吊り上げたときに自由勾配側溝が図１３（ｂ）に示すように左右方向に傾くことがない。しかしこの吊具は、回転する左右のアームと、アーム上端部を連結するリンクとを有しているため、重量が３０〜６０ｋｇと非常に重く、持ち運びやワイヤーで吊った状態での取り回しが容易ではなく、また、吊り上げたときにリンクやアームが回転するので、回転部に指を挟むおそれがある。さらに、吊具が自由勾配側溝の中心に対して前後方向にずれて取付けられることがあり、吊り上げたときに図１３（ｃ）に示すように、自由勾配側溝が前後方向に傾くことがあった。
【特許文献１】特開２００１−１９３４５号公報
【特許文献２】意匠登録第９４０９６０号公報
【発明の開示】
【発明が解決しようとする課題】
【０００５】
本発明は以上に述べた実情に鑑みてなされたものであって、構造が単純で軽量であり、自由勾配側溝への取付けを容易に行うことができ、且つ自由勾配側溝を左右方向、前後方向の何れの方向にも傾かないように吊り上げることのできる自由勾配側溝用吊具の提供を目的とする。  
【課題を解決するための手段】
【０００６】
上記の課題を達成するために、請求項１記載の発明による自由勾配側溝用吊具は、自由勾配側溝の開口部の左右方向寸法よりも長い支持棒と、支持棒から上方に突出して設けた左右の吊部と、支持棒の左右両端部に支持棒から前後方向に張り出して設けた張り出し部とを備え、左右の吊部は、ワイヤーの係止部を有し、左右の吊部の支持棒先端側の側縁間の間隔を自由勾配側溝開口部の左右方向寸法と略同じにしてあり、張り出し部は、自由勾配側溝の前後の側壁部の内面壁の間隔と略同じか若干短い長さとしてあり、且つ支持棒から前側と後側に張り出す長さを同じにしてあることを特徴とする。
【０００７】
請求項２記載の発明による自由勾配側溝用吊具は、自由勾配側溝の開口部の左右方向寸法よりも長い支持棒と、支持棒から上方に突出して設けた左右の吊部と、支持棒の左右両端部に支持棒から前後方向に張り出して設けた張り出し部とを備え、左右の吊部は、ワイヤーの係止部を有し、左右の吊部の支持棒先端側の側縁間の間隔を自由勾配側溝開口部の左右方向寸法と略同じにしてあり、張り出し部は、自由勾配側溝の前後の側壁部の内面壁の間隔と略同じ長さとしてあり、且つ支持棒から前側と後側に張り出す長さを同じにしてあり、左右の吊部を自由勾配側溝の開口部の左右端縁間に配置して吊具を左右方向に位置決めすると共に、左右の張り出し部を自由勾配側溝の前後の側壁部の内面壁間に配置して吊具を前後方向に位置決めすることを特徴とする。
【０００８】
請求項３記載の発明による自由勾配側溝用吊具は、自由勾配側溝の開口部の左右方向寸法よりも長い支持棒と、支持棒から上方に突出して設けた左右の吊部と、支持棒の左右両端部に支持棒から前後方向に張り出して設けた張り出し部とを備え、左右の吊部は、ワイヤーの係止部を有し、左右の吊部の支持棒先端側の側縁間の間隔を自由勾配側溝開口部の左右方向寸法と略同じにしてあり、張り出し部は、自由勾配側溝の前後の側壁部の内面壁の間隔よりも若干短い長さとしてあり、且つ支持棒から前側と後側に張り出す長さを同じにしてあり、左右の吊部を自由勾配側溝の開口部の左右端縁間に配置して吊具を左右方向に位置決めすると共に、支持棒を長手方向の中央部で垂直軸回りに回転させ、左右の張り出し部における互いに反対側の先端部を自由勾配側溝の前側の側壁部の内面壁と後側の側壁部の内面壁とにそれぞれ別々に当接して吊具を前後方向に位置決めすることを特徴とする。
【０００９】
請求項４記載の発明は、上記の構成に加え、支持棒は、長手方向の中央部で山折り可能としてあることを特徴とする。
【００１０】
請求項５記載の発明は、上記の構成に加え、張り出し部は、前後方向の長さの異なる複数の張り出し部のうちの一つを、支持棒の端部に交換可能に取付けていることを特徴とする。
【００１１】
請求項６記載の発明は、上記の構成に加え、吊部は、支持棒に固定した基部と、基部に前後方向の軸により取付けた可動部とを有し、基部にはワイヤーの係止部が設けてあり、可動部は、支持棒先端側の端部に自由勾配側溝の開口部の左右端縁への当接部が設けてあると共に、支持棒中央側の端部が基部のワイヤー係止部に係止するワイヤーの上に係止するものであり、ワイヤーが上方に引っ張られたときに、可動部がワイヤーにより支持棒先端側に向けて移動し、当接部が自由勾配側溝の開口部の左右端縁に押し付けられることを特徴とする。
【００１２】
請求項７記載の発明は、前記当接部は、上下方向の軸回りに回転するローラーで構成してあることを特徴とする。
【発明の効果】
【００１３】
請求項１記載の発明による自由勾配側溝用吊具は、自由勾配側溝の開口部の左右方向寸法よりも長い支持棒に、吊部と張り出し部を設けた簡単な構成であるため、軽量で取扱いが容易であり、且つ自由勾配側溝に取付ける際には、支持棒を斜めに傾けて一端部側から自由勾配側溝の開口部に挿入し、支持棒を自由勾配側溝内で水平にしてから上方に移動させれば、支持棒の両端部が自由勾配側溝の開口部両側の天板部裏側に引っ掛かるため、容易に取付けできる。しかも本発明の吊具は、左右の吊部を自由勾配側溝の開口部の左右端縁間に配置して吊具を左右方向に位置決めできると共に、張り出し部の長さが自由勾配側溝の前後の側壁部の内面壁の間隔と略同じときには、張り出し部を自由勾配側溝の前後の側壁部の内面壁間に配置することで吊具を前後方向に位置決めできるし、張り出し部の長さが自由勾配側溝の前後の側壁部の内面壁の間隔よりも若干短いときには、吊具を自由勾配側溝内部に配置した上で支持棒を長手方向の中央部で垂直軸回りに回転させ、左右の張り出し部における互いに反対側の先端部を自由勾配側溝の前側の側壁部の内面壁と後側の側壁部の内面壁とにそれぞれ別々に当接することで吊具を前後方向に位置決めできる。これにより吊具の芯出しが容易に且つ正確に行え、自由勾配側溝を左右方向、前後方向の何れの方向にも傾かないように吊り上げることができる。
【００１４】
請求項２記載の発明による自由勾配側溝用吊具は、自由勾配側溝の開口部の左右方向寸法よりも長い支持棒に、吊部と張り出し部を設けた簡単な構成であるため、軽量で取扱いが容易であり、且つ自由勾配側溝に取付ける際には、支持棒を斜めに傾けて一端部側から自由勾配側溝の開口部に挿入し、支持棒を自由勾配側溝内で水平にしてから上方に移動させれば、支持棒の両端部が自由勾配側溝の開口部両側の天板部裏側に引っ掛かるため、容易に取付けできる。しかも本発明の吊具は、左右の吊部を自由勾配側溝の開口部の左右端縁間に配置して吊具を左右方向に位置決めできると共に、張り出し部を自由勾配側溝の前後の側壁部の内面壁間に配置することで吊具を前後方向に位置決めできる。これにより吊具の芯出しが容易に且つ正確に行え、自由勾配側溝を左右方向、前後方向の何れの方向にも傾かないように吊り上げることができる。
【００１５】
請求項３記載の発明による自由勾配側溝用吊具は、自由勾配側溝の開口部の左右方向寸法よりも長い支持棒に、吊部と張り出し部を設けた簡単な構成であるため、軽量で取扱いが容易であり、且つ自由勾配側溝に取付ける際には、支持棒を斜めに傾けて一端部側から自由勾配側溝の開口部に挿入し、支持棒を自由勾配側溝内で水平にしてから上方に移動させれば、支持棒の両端部が自由勾配側溝の開口部両側の天板部裏側に引っ掛かるため、容易に取付できる。しかも本発明の吊具は、左右の吊部を自由勾配側溝の開口部の左右端縁間に配置して吊具を左右方向に位置決めできると共に、吊具を自由勾配側溝内部に配置した上で支持棒を長手方向の中央部で垂直軸回りに回転させ、左右の張り出し部における互いに反対側の先端部を自由勾配側溝の前側の側壁部の内面壁と後側の側壁部の内面壁とにそれぞれ別々に当接することで吊具を前後方向に位置決めできる。これにより吊具の芯出しが容易に且つ正確に行え、自由勾配側溝を左右方向、前後方向の何れの方向にも傾かないように吊り上げることができる。張り出し部は、自由勾配側溝の前後の側壁部の内面壁の間隔よりも若干短い長さとしてあればよいため、自由勾配側溝の前後の側壁部の内面壁の間隔に成型誤差等によるばらつきがあっても、吊具の前後方向の位置決めが正確に行える。
【００１６】
請求項４記載の発明による自由勾配側溝用吊具は、支持棒を長手方向の中央部で山折りした状態でまっすぐ下に下ろして自由勾配側溝の開口部に挿入でき、左右の吊部をワイヤーで吊り上げることで支持棒が自然にまっすぐになるため、吊具の取付けが一層容易になる。
【００１７】
請求項５記載の発明による自由勾配側溝用吊具は、前後方向の長さの異なる複数の張り出し部のうちの一つを、支持棒の端部に交換可能に取付けるようにしたので、前後の側壁部の内面壁の間隔の異なる様々なサイズの自由勾配側溝に容易に対応できる。
【００１８】
請求項６記載の発明による自由勾配側溝用吊具は、左右の吊部をワイヤーで吊ったときに、左右の吊部に設けた可動部の当接部が自由勾配側溝の開口部の左右端縁に押し付けられることで、吊具の左右方向の位置決めが自動的に且つ正確になされるとともに、吊具の開口部への拘束作用が得られる。また、張り出し部の長さが自由勾配側溝の前後の側壁部の内面壁の間隔よりも若干短いときには、左右の当接部が自由勾配側溝の開口部の左右端縁に押し付けられることで、支持棒が長手方向中央部で垂直軸回りに回転し、吊具の芯出しが自動的になされることとなる。
【００１９】
請求項７記載の発明による自由勾配側溝用吊具は、当接部を上下方向の軸回りに回転するローラーで構成してあるので、当接部が自由勾配側溝の開口部の左右端縁に押し付けられたときに、当接部が開口部の左右端縁に沿って前後に移動して支持棒が回転しやすくなり、支持棒の回転による自動芯出し作用が確実に発揮される。
【発明を実施するための最良の形態】
【００２０】
以下、本発明の実施の形態を図面に基づいて説明する。図１〜図３は、本発明の自由勾配側溝用吊具１４（以後、単に吊具とも言う）の第一実施形態を示しており、図１（ａ）は吊具１４の平面図、図１（ｂ）は吊具１４の正面図、図２は吊具１４の側面図、図３は部品を分解した状態を示す側面図である。この吊具１４は、支持棒３と、支持棒３から上方に突出して設けた左右の吊部４，４と、支持棒３の左右両端部に支持棒３から前後方向に張り出す張り出し部５，５とを備えている。
【００２１】
支持棒３は、鉄製の角パイプ等で形成され、支持棒３の長さＸは、吊り上げる自由勾配側溝１の開口部２の左右方向寸法Ｘ１よりも長くしてある。左右の吊部４，４は、支持棒３先端側の側縁４ａ，４ａ同士の間隔が、自由勾配側溝開口部２の左右方向寸法Ｘ１に対して２ｍｍ〜数ｍｍ程度小さくなるように配置し、支持棒３の上面に溶接により固着してある。各吊部４は、中央部に円孔状のワイヤー係止孔６が形成してある。吊部４を支持棒３の左右二箇所に設けることで、支持棒３の中央部一箇所で吊る場合と比較して、支持棒３にかかる曲げモーメントを小さくでき、支持棒３の断面を小さくして軽量化を図ることができる。
張り出し部５は、図３に示すように、支持棒３とは別体で形成され、下側が開放した断面コ字形の取付部１５を支持棒３に上から嵌め込み、ピン１６を前後方向に貫通させて張り出し部５を支持棒３に固定している。張り出し部５は、前後方向の長さＹの異なるものを複数用意し、自由勾配側溝１の前後の側壁部８，８の内面壁８ａ，８ｂの間隔Ｙ１に合わせて、適当な長さの張り出し部５を支持棒３に取付けるようにしている。張り出し部３の長さＹは、自由勾配側溝１の前後の側壁部８，８の内面壁８ａ，８ｂの間隔Ｙ１よりも２ｃｍ程度短くしている。また張り出し部５は、支持棒３から前側と後側に張り出す長さを同じにしてある。張り出し部５には補強のためのリブ２５を設けている。
【００２２】
次に、本吊具の使用方法を図４、図５に基づいて説明する。まず、左右の吊部４，４のワイヤー係止孔６，６にワイヤー１７の端部をそれぞれ係止した後、図４（ａ）に示すように、吊具１４を前後方向から見て斜めに傾けた状態で片方の端部から自由勾配側溝１の開口部２に挿入する。次に、図４（ｂ）に示すように、吊具１４を自由勾配側溝１内部で水平な姿勢とし、ワイヤー１７でまっすぐ上方に吊り上げる。このとき、図５（ａ）に示すように、左右の吊部４，４が自由勾配側溝開口部２の左右端縁７，７に隣接して配置され、これにより吊具１４が左右方向に位置決めされる。この時点では、吊具１４は自由勾配側溝１の中心に対して前後方向にずれていることがあるが、図５（ｂ）に示すように、支持棒３の長手方向中央部で垂直軸回りに回転させ、左右の張り出し部５，５の互いに反対側の先端部５ａ，５ｂを、自由勾配側溝１の前側の側壁部の内面壁８ａと後側の側壁部の内面壁８ｂとにそれぞれ別々に当接することで吊具１４が前後方向に位置決めされ、これにより吊具１４の中心と自由勾配側溝１の中心とが一致する。あとは、図４（ｃ）に示すように、ワイヤーでまっすぐ上に吊り上げれば、自由勾配側溝１を左右方向、前後方向の何れの方向にも傾かないように吊り上げることができる。よって、自由勾配側溝１を吊り上げて運び、所定の位置に並べて配設する作業を、安全に且つ能率良く行うことができる。また、吊部４，４と張り出し部５，５とで自由勾配側溝１を拘束しているので、吊り上げたときに自由勾配側溝１が吊具１４からずれることを防止できる。
【００２３】
第一実施形態に係る吊具１４において、左右の張り出し部５，５の長さＹを、自由勾配側溝１の前後の側壁部８，８の内面壁８ａ，８ｂの間隔Ｙ１と略同じにすることもできる。その場合は、図６に示すように、吊具１４を自由勾配側溝開口部２両側の天板部１８裏面に係止したときに、張り出し部５，５が自由勾配側溝１の前後の側壁部８，８の内面壁８ａ，８ｂ間に配置されることで吊具１４が前後方向に位置決めされるから、吊具１４を回転させなくても吊具の芯出しが行え、吊り上げたときに自由勾配側溝１が傾かない。また、吊部４，４と張り出し部５，５とで自由勾配側溝１を拘束しているので、吊り上げたときに自由勾配側溝１が吊具１４からずれることがない。
【００２４】
図７〜図９は、本発明に係る自由勾配側溝用吊具１４の第二実施形態を示している。第一実施形態と異なる部分について説明すると、支持棒３は、図８（ａ）（ｂ）に示すように、長手方向の中央部で左側支持棒３ａと右側支持棒３ｂとに分割して形成し、左側支持棒３ａの中央部側の端部に、下側が開放した断面コ字形の連結部材１９を溶接により取付けてあり、右側支持棒３ｂの中央部側端部を連結部材１９内に嵌挿して前後方向のピン２０で連結している。これにより支持棒３は、長手方向の中央部で山折り可能となっている。連結部材１９の上面には、ワイヤー一本で吊り上げることもできるように、リング状の吊部２１を溶接で取付けてある。
【００２５】
左右の吊部４，４は、図９に示すように、支持棒３上面に固着した基部９と、基部９に前後方向の軸１０により取付けた可動部１１とで構成してある。基部９には、ワイヤー挿通孔６が上下方向の長孔状に形成してあるとともに、可動部１１を基部９に取付けている軸１０の挿通孔２２が左右方向の長孔状に形成してある。可動部１１は、支持棒３先端側の端部に上下方向の軸１３回りに回転するローラー１２が取付けてあり、可動部１１の下縁は軸１０の下部から両側の側縁部に向けて斜め上向きに形成してあり、支持棒３中央側の斜めの下縁部２４がワイヤー係止孔６の上部に重なっている。また可動部１１は、軸１０よりも支持棒３中央側が重いため、通常の状態では、図９（ａ）に示すように、支持棒３中央側が下がるように傾いている。ワイヤー係止孔６にワイヤー１７を通し、ワイヤー１７を上方に引っ張ると、図９（ｂ）に示すように、可動部１１の斜めの下縁部２４がワイヤー１７に係止して持ち上げられるため、可動部１１は支持棒３先端側に移動しながら外側に回転し、ローラー１２が自由勾配側溝開口部の左右端縁７に押し付けられる。
【００２６】
以下、本吊具１４の使用方法を、図１０、図１１に基づいて説明する。まず、左右の吊部４，４のワイヤー係止孔６にワイヤー１７の端部をそれぞれ係止した後、図１０（ａ）に示すように、支持棒３を中央部で山折りして、支持棒３の両端部を自由勾配側溝の開口部２に挿入する。その後ワイヤー１７を引っ張ると、図１０（ｂ）に示すように、支持棒３はワイヤー１７の張力により自然にまっすぐになり、両端部が開口部２両側の天板部１８裏面に係止する。このとき、図１１に示すように、吊部４のローラー１２がワイヤー１７の張力により開口部の左右端縁７に押し付けられるため、支持棒３が長手方向の中央部で垂直軸回りに回転し、左右の張り出し部５，５の互いに反対側の先端部５ａ，５ｂが、自由勾配側溝の前側の側壁部の内面壁８ａと後側の側壁部の内面壁８ｂとにそれぞれ別々に当接し、吊具１４の中心と自由勾配側溝１の中心とが一致する。このように本吊具１４は、ワイヤー１７で吊るだけで自由勾配側溝１に対する芯出しが自動的になされ、吊り上げたときに自由勾配側溝１が何れの向きにも傾かない。
【００２７】
本発明は以上に述べた実施形態に限定されるものではなく、適宜変形して実施できる。例えば、第一実施形態において、支持棒を長手方向の中央部で山折り可能としたものや、第二実施形態において、張り出し部の長さを自由勾配側溝の前後の側壁部の内面壁の間隔と略同じにすることもできる。支持棒は、長手方向の中間部に伸縮部を設けて長さを調整自在とすることで、開口部の左右方向寸法の異なる自由勾配側溝に対応できるようにすることができる。
【図面の簡単な説明】
【００２８】
【図１】（ａ）は本発明の自由勾配側溝用吊具の第一実施形態を示す平面図であり、（ｂ）は同正面図である。
【図２】本発明の自由勾配側溝用吊具の第一実施形態を示す側面図である。
【図３】張り出し部を支持棒と分離した状態を示す側面図である。
【図４】第一実施形態の自由勾配側溝用吊具の使用手順を順に示す正面図である。
【図５】第一実施形態の自由勾配側溝用吊具の使用手順を示す平面図であって、（ａ）は吊具を前後方向に位置決めする前の状態、（ｂ）は吊具を前後方向に位置決めしたときの状態を示している。
【図６】第一実施形態に係る自由勾配側溝用吊具の変形例を示す、使用状態における平面図である。
【図７】（ａ）は本発明の自由勾配側溝用吊具の第二実施形態を示す平面図であり、（ｂ）は同正面図である。
【図８】第二実施形態の自由勾配側溝用吊具の支持棒中央部を拡大した縦断面図であって、（ａ）は支持棒をまっすぐにしたときの状態、（ｂ）は支持棒を山折りしたときの状態を示している。
【図９】第二実施形態の自由勾配側溝用吊具の吊部を拡大して示す正面図であって、（ａ）はワイヤーに張力を与える前の状態、（ｂ）はワイヤーに張力を与えたときの状態を示している。
【図１０】第二実施形態の自由勾配側溝用吊具の使用手順を順に示す正面図である。
【図１１】第二実施形態の自由勾配側溝用吊具の使用状態を示す平面図である。
【図１２】従来の自由勾配側溝用吊具の使用手順を順に示す正面図である。
【図１３】（ａ）は従来の自由勾配側溝用吊具の使用状態を示す平面図、（ｂ）は同正面図、（ｃ）は同側面図である。
【符号の説明】
【００２９】
１  自由勾配側溝
２  開口部
３  支持棒
４  吊部
５  張り出し部
５ａ，５ｂ  張り出し部の先端部
６  ワイヤー係止孔（ワイヤー係止部）
７  開口部の左右端縁
８  側壁部
８ａ，８ｂ  側壁部の内面壁
９  基部
１０  軸
１１  可動部
１２  ローラー（当接部）
１３  ローラーの回転軸
１４  自由勾配側溝用吊具
Ｘ  支持棒の長さ
Ｘ１  開口部の左右方向寸法
Ｙ  張り出し部の長さ
Ｙ１  前後の側壁部の内面壁の間隔
【図１】
2007069998.tif 000003
【図２】
2007069998.tif 000004
【図３】
2007069998.tif 000005
【図４】
2007069998.tif 000006
【図５】
2007069998.tif 000007
【図６】
2007069998.tif 000008
【図７】
2007069998.tif 000009
【図８】
2007069998.tif 000010
【図９】
2007069998.tif 000011
【図１０】
2007069998.tif 000012
【図１１】
2007069998.tif 000013
【図１２】
2007069998.tif 000014
【図１３】
2007069998.tif 000015